(57)【要約】【課題】外付加断熱材の切断作業及び組付作業を容易に行うことのできるユニット住宅における外付加断熱材の組付方法を提供する。【解決手段】工場内において枠組壁３を施工後、枠組壁３を横に寝かせた状態で枠組壁３の外側に外付加断熱材５を組み付ける。この場合、外付加断熱材５を複数枚用意して、横に寝かせた枠組壁３の形状に合わせて各外付加断熱材５を切断し、その後、切断した各外付加断熱材５を枠組壁３の外側に順次組み付けていく。【選択図】図１
2008280749.tif 000002
【特許請求の範囲】
【請求項１】
工場内において枠組壁を施工後、前記枠組壁を横に寝かせた状態で当該枠組壁の外側に外付加断熱材を組み付けることを特徴とするユニット住宅における外付加断熱材の組付方法。
【請求項２】
前記外付加断熱材を複数枚用意して、横に寝かせた前記枠組壁の形状に合わせて前記各外付加断熱材を切断し、その後、切断した前記各外付加断熱材を前記枠組壁の外表面に順次組み付けることを特徴とする請求項１に記載のユニット住宅における外付加断熱材の組付方法。
【発明の詳細な説明】
【技術分野】
【０００１】
本発明は、ユニット住宅における外付加断熱材の枠組壁への組付方法に関するものである。
【背景技術】
【０００２】
一般に、図６（ａ）に示すように、ユニット住宅１においては、現地にて床パネル２の上面に枠組壁３が組み立てられ、その後、枠組壁３の上部に屋根４が取り付けられる。そして、外付加断熱材５を組み付ける場合は、外付加断熱材５を適宜長さに切断し、その切断した外付加断熱材５を枠組壁３の外側に組み付けていく方法が知られている（例えば、特許文献１、特許文献２参照）。
【特許文献１】特開２００４−３４６６２６号公報
【特許文献１】特開２０００−３２０００４号公報
【発明の開示】
【発明が解決しようとする課題】
【０００３】
しかしながら、上記従来の技術では、外付加断熱材５を切断する際に、作業者が直立した状態で、枠組壁３の形状に合わせながら切断しなければならず、その切断にミスが生じやすい。切断にミスが生じると、図６（ｂ）に示すように、外付加断熱材５を接合したときに隙間（つまり断熱欠損）が発生する。
【０００４】
また、従来の技術では、切断した外付加断熱材５を組み付ける際にも、作業者は直立した状態で枠組壁３の外側に組み付けていかなければならず、その組付作業が大変である。
【０００５】
本発明の課題は、外付加断熱材の切断作業及び組付作業を容易に行うことのできるユニット住宅における外付加断熱材の組付方法を提供することにある。
【課題を解決するための手段】
【０００６】
上記課題を解決するために、請求項１に記載の発明は、工場内において枠組壁を施工後、前記枠組壁を横に寝かせた状態で当該枠組壁の外側に外付加断熱材を組み付けることを特徴としている。
【０００７】
上記構成によれば、工場内において、枠組壁を横に寝かせた状態で外付加断熱材を組み付けるようにしているので、外付加断熱材の切断作業及び外付加断熱材の枠組壁への組付作業を容易に行うことができる。
【０００８】
請求項２に記載の発明は、請求項１において、前記外付加断熱材を複数枚用意して、横に寝かせた前記枠組壁の形状に合わせて前記各外付加断熱材を切断し、その後、切断した前記各外付加断熱材を前記枠組壁の外表面に順次組み付けることを特徴としている。
【発明の効果】
【０００９】
本発明によれば、外付加断熱材の切断作業及び組付作業を容易に行うことのできるユニット住宅における外付加断熱材の組付方法を実現することができる。
【発明を実施するための最良の形態】
【００１０】
以下、本発明の実施例を図面に従って説明する。
【実施例】
【００１１】
図１及び図２は、本発明に係るユニット住宅における外付加断熱材の組付方法を示している。
【００１２】
先ず、工場内において、図１（ａ）に示すように、中央部に窓３Ａを有する枠組壁３を施工する。その後、同図（ｂ）に示すように、枠組壁３を横に寝かせた状態で枠組壁３の外側に外付加断熱材５を組み付ける。このとき、外付加断熱材５を複数枚用意して、横に寝かせた枠組壁３の形状に合わせて各外付加断熱材５を切断し、その切断した各外付加断熱材５を枠組壁３の外側に順次組み付けていく。すると、同図（ｃ）に示すように、外付加断熱材５が組み付けられた枠組壁３が出来上がる。
【００１３】
次に、外付加断熱材５が組み付けられた枠組壁３を、床パネル２や屋根４（図６参照）とともに現地に搬送する。そして、現地において、同図（ｄ）に示すように、外付加断熱材５が組み付けられた複数の枠組壁３を床パネル２の上面に設置して組み立てることにより、同図（ｅ）に示すような住宅ユニット６が完成する。
【００１４】
図３はユニット住宅１０を上方から見たときの構成図を示しており、このユニット住宅１０は６つの住宅ユニット１１〜１６で構成されている。図１及び図２で示した住宅ユニット６は、図３においては住宅ユニット１１が相当している。
【００１５】
図４は図３のＡ部の詳細構成を、図５は図３のＢ部の詳細構成をそれぞれ示している。Ａ部は住宅ユニット１１の側面部であり、Ｂ部は住宅ユニット１１と住宅ユニット１２との連結部である。
【００１６】
枠組壁３は、図４に示すように、木枠１７を有している。図には示してないが、木枠１７は図の横方向に沿って複数設けられている。各木枠１７の一側（室内側）には石膏ボート等からなる内壁面材１８が、他側（室外側）には下地材１９がそれぞれ設けられ、これら内壁面材１８と下地材１９との間には木枠１７の幅の分だけ隙間が形成されている。そして、前記隙間に細繊維グラスウール等からなる断熱材２０が装填されている。なお、断熱材２０と内壁面材１８との間にはポリエチレンフィルム等からなる気密シート２１が介装されている。
【００１７】
外付加断熱材５はフェノールフォーム等からなり、枠組壁３の下地材１９の外表面に組み付けられている。すなわち、外付加断熱材５の外表面側には、木枠１７の位置に合致させて周縁２２が設けられ、この周縁２２を挿通されたねじ２３の先端部が木枠１７にねじ込まれており、これによって、外付加断熱材５が下地材１９の外表面に密着して組み付けられている。
【００１８】
なお、外付加断熱材５の外表面は防水紙２４で覆われている。また、周縁２２の外面側には窯業系サイディング等からなる外壁面材２５が設けられ、外付加断熱材５は防水紙２４と共に外壁面材２５で覆われている。
【００１９】
本実施例においては、外付加断熱材５、周縁２２及び外壁面材２５等は大壁２６を形成している。
【００２０】
住宅ユニット１１と住宅ユニット１２との連結部においては、図５に示すように、住宅ユニット１１側の外付加断熱材５と住宅ユニット１２の外付加断熱材５との間に継ぎ用外付加断熱材２７が介装されている。また、住宅ユニット１１側には内壁面材１８と下地材１９との間に木枠１７Ａが、住宅ユニット１２側には内壁面材１８と下地材１９との間に木枠１７Ｂがそれぞれ設けられ、これら木枠１７Ａ，１７Ｂ間に継ぎ用断熱材２８が介装されている。
【００２１】
本実施例によれば、工場内において、枠組壁３を横に寝かせた状態で外付加断熱材５を組み付けるようにしているので、外付加断熱材５の切断作業及び外付加断熱材５の枠組壁３への組付作業を容易に行うことができる。
【００２２】
以上、本発明の実施例を図面により詳述してきたが、上記実施例は本発明の例示にしか過ぎないものであり、本発明は上記実施例の構成にのみ限定されるものではない。本発明の要旨を逸脱しない範囲の設計の変更等があっても、本発明に含まれることは勿論である。
【００２３】
例えば、上記実施例では枠組壁３には１つの窓３Ａが設けられていたが、窓が複数設けられた枠組壁にも本発明は適用できる。
【図面の簡単な説明】
【００２４】
【図１】本発明に係るユニット住宅における外付加断熱材の組付方法を示しており、（ａ）は枠組壁施工後の様子を示す図、（ｂ）は横に寝かせた枠組壁に外付加断熱材を組み付ける様子を示す図、（ｃ）は外付加断熱材が組み付けられた枠組壁を示す図である。
【図２】図１の続きを示しており、（ｄ）は外付加断熱材が組み付けられた枠組壁を床パネルの上に組み立てる様子を示す図、（ｅ）は完成した住宅ユニットを示す図である。
【図３】ユニット住宅を上方から見たときの構成図である。
【図４】図３のＡ部の詳細構成を示す図である。
【図５】図３のＢ部の詳細構成を示す図である。
【図６】従来技術を示しており、（ａ）は外付加断熱材を組み付ける様子を示す図、（ｂ）は外付加断熱材が一部組み付けられた様子を示す図である。
【符号の説明】
【００２５】
１，１０  ユニット住宅
２  床パネル
３  枠組壁
４  屋根
５  外付加断熱材
６，１１〜１６  住宅ユニット
１８  内壁面材
２０  断熱材
２５  外壁面材
【図１】
2008280749.tif 000003
【図２】
2008280749.tif 000004
【図３】
2008280749.tif 000005
【図４】
2008280749.tif 000006
【図５】
2008280749.tif 000007
【図６】
2008280749.tif 000008